(57)【要約】【課題】イメージセンサにおける受光素子毎の特性差のない画像データを出力する。【解決手段】テストチャート３０を読み取り、各受光素子に対する出力特性データを生成し、各受光素子に対するガンマ補正データを生成する。ガンマ補正データのうち、類似した特性を有するもの同士を複数のグループに分類し、グループ毎にＬＵＴを生成する。また、各受光素子に対応するＬＵＴを示す情報をＬＵＴポインタ２３へ書き込む。各ＬＵＴ及びＬＵＴポインタ２３のデータに基づいて、各受光素子から得られた画像データに対して、ガンマ補正を行う。【選択図】図２
2005184633.tif 000002
【特許請求の範囲】
【請求項１】
イメージセンサを構成する複数の受光素子の直線性を補正するガンマ補正手段を備えた画像読取装置であって、
前記ガンマ補正手段は、
前記複数の受光素子の出力特性を類似する特性毎に分類してグループ化された補正データに基づく複数の補正テーブルからなる特性変換手段と、
前記複数の受光素子の各出力データのそれぞれに、前記類似特性に対応する前記特性変換手段の補正テーブルを、予め定められた割当データに基づいて個別的に割り当てる指定手段と、
前記指定手段の割当動作を制御する制御手段と、
を備えたことを特徴とする画像読取装置。
【請求項２】
請求項１に記載の画像読取装置において、
前記複数の受光素子の出力特性は、少なくとも当該受光素子自体の特性と、当該受光素子の出力チャネル回路の特性を含むことを特徴とする画像読取装置。
【請求項３】
請求項１又は２に記載の画像読取装置において、
前記特性変換手段の補正テーブルの補正データは、前記分類されたグループ内の代表的な値であることを特徴とする画像読取装置。
【請求項４】
請求項１又は２に記載の画像読取装置において、
前記特性変換手段の補正テーブルの補正データは、前記分類されたグループ内の平均的な値であることを特徴とする画像読取装置。
【請求項５】
請求項１〜４のいずれか一項に記載の画像読取装置において、
前記制御手段は、前記複数の受光素子により、複数の濃度パターンで表されるテストチャートを読み取ることにより得られた出力データに基づいて、前記特性変換手段の補正テーブルの補正データ及び前記指定手段の割当データを生成することを特徴とする画像読取装置。
【請求項６】
請求項１〜５のいずれか一項に記載の画像読取装置において、
前記特性変換手段の補正テーブルの補正データ及び前記指定手段の割当データは、不揮発性メモリに格納されていることを特徴とする画像読取装置。
【請求項７】
請求項６に記載の画像読取装置において、
前記不揮発性メモリは、ＭＲＡＭ又はＦｅＲＡＭであることを特徴とする画像読取装置。
【発明の詳細な説明】
【技術分野】
【０００１】
本発明は、イメージセンサにより画像を読み取る画像読取装置に関する。
【背景技術】
【０００２】
一般に、デジタル複写機やＦＡＸ等に用いられている画像読取装置では、一次元ＣＣＤ（Charge Coupled Device）イメージセンサを用いて、主走査方向にはセンサの素子によって電気的に、また、副走査方向にはイメージセンサの長手方向と垂直な方向に機械的に移動することによって画像を読み取っている。このような画像読取装置では、画像の読取速度を高速化するために、２出力型ＣＣＤセンサや４出力型ＣＣＤセンサが用いられている。
【０００３】
２出力型ＣＣＤセンサ４０は、図７に示すように、照射された光によって電荷を生ずる受光部４１の両側に、その電荷を転送する電荷転送部４２ａ，４２ｂが設けられている。受光部４１の画素配列方向に沿って端から順に画素番号（１〜７４５０）を振った場合、奇数画素データＯＳ１（１，３，５，・・・，７４４９）と偶数画素データＯＳ２（２，４，６，・・・，７４５０）とが異なる電荷転送部４２ａ，４２ｂからアンプ４３ａ，４３ｂを通してそれぞれ昇順に出力される。
【０００４】
図８に、２出力型処理回路のブロック図を示す。図８に示すように、２出力型ＣＣＤセンサ４０により得られた奇数画素データＯＳ１と偶数画素データＯＳ２は、合成部４４により出力順に交互に合成され、アナログ信号処理部４５によりノイズ除去や信号増幅等が行われ、ＡＤ変換部４６によりアナログ／デジタル変換される。変換後の画像データには、シェーディング補正等の補正が施される。タイミング制御部４７は、各部に対して動作タイミングを指示する信号を出力する。
【０００５】
また、４出力型ＣＣＤセンサ５０は、さらに高速の画像読取装置に搭載されるもので、図９に示すように、受光部５１の両側の電荷転送部（５２ａ，５２ｃ），（５２ｂ，５２ｄ）が中央から２つに分割され、左右両端から同時に４チャネルのデータが出力される。受光部５１の画素配列方向に沿って端から順に画素番号（１〜７４００）を振った場合、イメージセンサ５０の一端から主走査前半分の奇数画素データＯＳ３（１，３，５，・・・，３６９９）と偶数画素データＯＳ４（２，４，６，・・・，３７００）が電荷転送部５２ａ，５２ｂからアンプ５３ａ，５３ｂを通してそれぞれ昇順に出力され、他端から主走査後半分の奇数画素データＯＳ５（３７０１，３７０３，３７０５，・・・，７３９９）と偶数画素データＯＳ６（３７０２，３７０４，３７０６，・・・，７４００）が電荷転送部５２ｃ，５２ｄからアンプ５３ｃ，５３ｄを通してそれぞれ降順に出力される。
【０００６】
図１０に、４出力型処理回路のブロック図を示す。図１０に示すように、主走査前半分の奇数画素データＯＳ３と偶数画素データＯＳ４は、合成部５４により出力順に交互に合成され、主走査前半分の画像データが昇順に並んだ前端データとして出力される。同様に、主走査後半分の奇数画素データＯＳ５と偶数画素データＯＳ６は、合成部５５により出力順に交互に合成され、主走査後半分の画像データが降順に並んだ後端データして出力される。前端データ、後端データは、それぞれアナログ信号処理部５６，５７によりノイズ除去や信号増幅等が行われ、ＡＤ変換部５８，５９によりアナログ／デジタル変換される。ここで、前端データは昇順に出力され、後端データは降順に出力されるので、順序復元部６０により、前端データと後端データとを画素配列方向に沿って連続した順序に復元して出力する。タイミング制御部６１は、各部に対して動作タイミングを指示する信号を出力する。
【０００７】
ところで、ＣＣＤイメージセンサの各素子は、感度や暗電流に対する応答性がそれぞれ異なる。さらに、２出力型ＣＣＤセンサや４出力型ＣＣＤセンサでは、各出力チャネルの出力部のアンプやアナログ信号処理部のアナログ回路、ＡＤ変換部の特性がそれぞれ異なる。シェーディング補正によって、白レベルや黒レベルについては各画素とも所定のレベルに補正されるが、出力特性が画素毎に異なるため、中間調にバラツキが生じ、コピー出力時に左右濃度差やタテ筋等、ムラのある画像となってしまう。出力特性とは、図３に示すような、原稿画像の明るさ、すなわち、ＣＣＤイメージセンサの入力値に対するＣＣＤ出力値の関係をいい、画像を忠実に再現するためには、グラフＧ１のように直線であることが望ましい。
【０００８】
各出力チャネルによる特性差を補正するために、図１１に示すように、２出力型ＣＣＤセンサにおける偶数画素と奇数画素に対して、異なる補正用ＬＵＴ（Look Up Table）を用いる技術や、図１２に示すように、４出力型ＣＣＤセンサにおいて、１ラインのデータのうち、前端データと後端データに対して、異なる補正用ＬＵＴを用いることにより、主走査前半分の画像データと主走査後半分の画像データの特性差を補正する技術が提案されている（例えば、特許文献１、２参照。）。ＬＵＴとは、画像データに対して所望する出力特性を持つように変換するための補正テーブルであり、例えば、図３のグラフＧ２やグラフＧ３に示すような出力特性を示す画像データに対して、グラフＧ１に近付けるような補正（ガンマ補正）を行う、すなわち、直線性を補正するための補正テーブルである。なお、図１１、図１２では、１ラインを１２画素とした場合の例を示している。
【特許文献１】特開平６−１６９３７７号公報
【特許文献２】特開２０００−１８８６８６号公報
【発明の開示】
【発明が解決しようとする課題】
【０００９】
しかし、上記従来技術においても、受光素子毎の出力特性のバラツキが残っていた。受光素子毎に最適な補正を施すためには、図１３に示すように、各画素に１対１に対応したＬＵＴを用いることが理想であるが、メモリや処理速度に制限があり、現実的ではなかった。
【００１０】
本発明は、上記の従来技術における問題に鑑みてなされたものであって、イメージセンサにおける受光素子毎の特性差のない画像データを出力することができる画像読取装置を提供することを課題とする。
【課題を解決するための手段】
【００１１】
請求項１に記載の発明は、イメージセンサを構成する複数の受光素子の直線性を補正するガンマ補正手段を備えた画像読取装置であって、前記ガンマ補正手段は、前記複数の受光素子の出力特性を類似する特性毎に分類してグループ化された補正データに基づく複数の補正テーブルからなる特性変換手段と、前記複数の受光素子の各出力データのそれぞれに、前記類似特性に対応する前記特性変換手段の補正テーブルを、予め定められた割当データに基づいて個別的に割り当てる指定手段と、前記指定手段の割当動作を制御する制御手段と、を備えたことを特徴としている。
【００１２】
請求項２に記載の発明は、請求項１に記載の画像読取装置において、前記複数の受光素子の出力特性は、少なくとも当該受光素子自体の特性と、当該受光素子の出力チャネル回路の特性を含むことを特徴としている。
【００１３】
請求項３に記載の発明は、請求項１又は２に記載の画像読取装置において、前記特性変換手段の補正テーブルの補正データは、前記分類されたグループ内の代表的な値であることを特徴としている。
【００１４】
請求項４に記載の発明は、請求項１又は２に記載の画像読取装置において、前記特性変換手段の補正テーブルの補正データは、前記分類されたグループ内の平均的な値であることを特徴としている。
【００１５】
請求項５に記載の発明は、請求項１〜４のいずれか一項に記載の画像読取装置において、前記制御手段は、前記複数の受光素子により、複数の濃度パターンで表されるテストチャートを読み取ることにより得られた出力データに基づいて、前記特性変換手段の補正テーブルの補正データ及び前記指定手段の割当データを生成することを特徴としている。
【００１６】
請求項６に記載の発明は、請求項１〜５のいずれか一項に記載の画像読取装置において、前記特性変換手段の補正テーブルの補正データ及び前記指定手段の割当データは、不揮発性メモリに格納されていることを特徴としている。
【００１７】
請求項７に記載の発明は、請求項６に記載の画像読取装置において、前記不揮発性メモリは、ＭＲＡＭ又はＦｅＲＡＭであることを特徴としている。
【発明の効果】
【００１８】
請求項１に記載の発明によれば、複数の受光素子の各出力データのそれぞれに、類似する特性毎に分類してグループ化された複数の補正テーブルを、割当データに基づいて個別的に割り当てるので、受光素子毎の特性差のない画像データを出力することができる。
【００１９】
請求項２に記載の発明によれば、受光素子自体の特性と、受光素子の出力チャネル回路の特性を含む受光素子の出力特性を補正することができる。
【００２０】
請求項３に記載の発明によれば、特性変換手段の補正テーブルの補正データとして、分類されたグループ内の代表的な値を用いることができる。
【００２１】
請求項４に記載の発明によれば、特性変換手段の補正テーブルの補正データとして、分類されたグループ内の平均的な値を用いることができる。
【００２２】
請求項５に記載の発明によれば、複数の濃度パターンで表されるテストチャートを読み取ることにより得られた出力データに基づいて、特性変換手段の補正テーブルの補正データ及び指定手段の割当データを生成するので、複数の濃度に対して精度良く補正を行うことができる。
【００２３】
請求項６に記載の発明によれば、特性変換手段の補正テーブルの補正データ及び指定手段の割当データが、不揮発性メモリに格納されているので、メモリのデータが保存され、起動時にメモリへデータのロードを行う必要がない。
【００２４】
請求項７に記載の発明によれば、ＭＲＡＭ（Magnetoresistive Random Access Memory：磁気抵抗メモリ）又はＦｅＲＡＭ（Ferroelectric Random Access Memory：強誘電体メモリ）を用いることにより、高速に処理することができる。
【発明を実施するための最良の形態】
【００２５】
以下、図を参照して本発明の実施の形態について詳細に説明する。ただし、発明の範囲は、図示例に限定されない。
【００２６】
図１に、本実施の形態における画像読取装置１の概略構成を示す。画像読取装置１は、一次元ＣＣＤイメージセンサ（以下、ＣＣＤセンサという。）２、レンズ３、ランプ４等を備える。画像読み取りの対象となる原稿５にランプ４が照射され、その反射光がレンズ３を介してＣＣＤセンサ２に入射し、電気信号に変換される。主走査方向はＣＣＤセンサ２の電気的な走査によって、副走査方向はＣＣＤセンサ２、レンズ３、ランプ４等を搭載したキャリッジ（図示せず）又は原稿５の移動による機械的な走査によって、原稿全体の読み取りが行われる。
【００２７】
図２に、画像読取装置１のブロック図を示す。図２に示すように、画像読取装置１は、レンズ３、ＣＣＤセンサ２、アナログ信号処理部１１、ＡＤ変換部１２、シェーディング補正部１３、ラインメモリ１４、ガンマ補正部１５、画像メモリ１６、タイミング制御部１７、クロック発生部１８、ＣＰＵ（Central Processing Unit）１９等を備えて構成される。
【００２８】
ＣＣＤセンサ２は、複数の受光素子（ＣＣＤ）が主走査方向に連続して配置されて構成されている。各受光素子は、光を電気信号に変換する光電変換素子であり、光の強弱を電圧に変換して蓄電するフォトダイオードによって構成される。ＣＣＤセンサ２は、各受光素子から得られた画像データをアナログ信号処理部１１に出力する。なお、ＣＣＤセンサ２は、上述した図７及び図８に示すような２出力型ＣＣＤセンサであってもよいし、図９及び図１０に示すような４出力型ＣＣＤセンサであってもよい。
【００２９】
アナログ信号処理部１１は、ＣＣＤセンサ２から入力された画像データにノイズ除去や信号増幅等を行い、ＡＤ変換部１２へ出力する。
【００３０】
ＡＤ変換部１２は、アナログ信号処理部１１から入力されたデータにアナログ／デジタル変換を行い、シェーディング補正部１３へ出力する。
【００３１】
シェーディング補正部１３は、ＡＤ変換部１２から入力されたデータにシェーディング補正を行う。シェーディング補正とは、ＣＣＤセンサ２を構成する各受光素子の感度のバラツキや光学系の周辺減光による信号の歪みを黒レベル基準データ及び白レベル基準データに基づいて補正することである。黒レベル基準データとは、ランプ４を消した状態で黒一色の画像を読み取ることにより得られたデータであり、白レベル基準データとは、白色基準板を読み取ることにより得られたデータである。シェーディング補正部１３は、各画素に対して、白レベル及び黒レベルを所定のレベルに補正し、ガンマ補正部１５へ出力する。
【００３２】
ラインメモリ１４は、シェーディング補正部１３により行われるシェーディング補正に用いる黒レベル基準データ及び白レベル基準データを記憶する。
【００３３】
ガンマ補正部１５は、補正メモリ２０、セレクタ２１，２２を備え、ＣＰＵ１９の制御に従って、シェーディング補正部１３から入力された画像データに対してガンマ補正を行う。ガンマ補正とは、受光素子の直線性を補正する処理であって、図３に示すような各受光素子の出力特性において、グラフＧ２やグラフＧ３に示すような出力特性の画像データを、グラフＧ１に近付けるような補正をいう。ここで、受光素子の出力特性は、受光素子自体の特性と、受光素子の出力チャネル回路の特性を含むこととする。
【００３４】
補正メモリ２０は、ＭＲＡＭ又はＦｅＲＡＭ等の不揮発性メモリで構成されている。本実施の形態においては、各受光素子の直線性を補正する特性変換手段の補正テーブルとしてＬＵＴを用い、各受光素子の各出力データそれぞれに対して、複数のＬＵＴの中から１つのＬＵＴを割り当てるための割当データとしてＬＵＴポインタを用いる。補正メモリ２０には、ＬＵＴ１、ＬＵＴ２、ＬＵＴ３、・・・、ＬＵＴｎ、全画素分のＬＵＴポインタ２３が格納される。ＬＵＴ１、ＬＵＴ２、ＬＵＴ３、・・・、ＬＵＴｎは、後述するガンマ補正データ生成処理によりグループ化された補正データに基づく補正テーブルである。ＬＵＴポインタ２３は、図４に示すように、ＬＵＴ１、ＬＵＴ２、ＬＵＴ３、・・・、ＬＵＴｎの中から、各画素に対するＬＵＴを割り当てる。例えば、図４では、１番目の画素に対してＬＵＴポインタ２３が「３」を割り当てているので、ＬＵＴ３が選択される。同様に、２番目の画素に対してＬＵＴポインタ２３が「２」を割り当てているので、ＬＵＴ２が選択される。このように、各画素、すなわち、各受光素子から得られた画像データに対するＬＵＴがそれぞれ選択される。図４では、１ラインを１２画素とし、４種類のＬＵＴの中からＬＵＴを選択する場合の例を示しているが、これに限定されない。
【００３５】
セレクタ２１は、ＬＵＴ１、ＬＵＴ２、ＬＵＴ３、・・・、ＬＵＴｎを用いて補正された画像データが入力される入力端と、セレクタ２２の入力端に接続される出力端を備え、ＬＵＴポインタ２３により割り当てられたＬＵＴに基づいて補正された画像データを出力する。セレクタ２２は、ガンマ補正前の画像データ及びセレクタ２１から出力された補正済み画像データが入力される入力端と、画像メモリ１６に接続される出力端を備え、ＣＰＵ１９からの制御信号に応じて、補正前データと補正済みデータを切り替えて出力する。
【００３６】
タイミング制御部１７により出力される画素カウント信号に応じて、ＬＵＴポインタ２３に従って、各受光素子の補正を行うためのＬＵＴが選択され、所望のガンマ補正が施された画像データがセレクタ２１，２２から出力され、画像メモリ１６に格納される。
【００３７】
画像メモリ１６は、補正された画像データを格納する。また、後述するガンマ補正データ生成処理時には、補正前の画像データを格納する。
【００３８】
タイミング制御部１７は、ＣＣＤセンサ２、アナログ信号処理部１１、ＡＤ変換部１２、シェーディング補正部１３、ガンマ補正部１５に対して動作タイミングを指示する信号を出力する。タイミング制御部１７は、さらに、インデックス信号（主走査開始信号）や主走査有効信号、副走査有効信号、クロック信号等を出力する。タイミング制御部１７から出力される信号のタイミングは、ＣＰＵ１９によって設定される。
【００３９】
クロック発生部１８は、一定の周波数のパルス信号をタイミング制御部１７へ出力する。
【００４０】
ＣＰＵ１９は、図示しないＲＯＭに記録されている各種プログラムの中から指定されたプログラムを図示しないＲＡＭのワークエリアに展開し、上記プログラムとの協働によって各種処理を実行する。具体的には、ＣＰＵ１９は、アナログ信号処理部１１、ＡＤ変換部１２、シェーディング補正部１３、ガンマ補正部１５、画像メモリ１６、タイミング制御部１７に対して回路動作を制御するための信号等を出力する。
【００４１】
また、ＣＰＵ１９は、ＣＣＤセンサ２により、図５に示すような複数の濃度パターンで表されるテストチャート３０を読み取ることにより得られた画像データに基づいて、各ＬＵＴ及びＬＵＴポインタ２３のデータを生成する（図６参照）。図５に示すように、テストチャート３０は、主走査方向に対しては濃度一定で、副走査方向に対しては濃度がリニアに変化している。実際には、副走査方向の濃度範囲は２５６階調以上であることが望ましい。また、図５に示すように、同一濃度の領域が帯状に並ぶように濃度が段階的に変化していてもよいが、濃度が連続的に変化していてもよい。
【００４２】
次に、画像読取装置１の動作について説明する。図６は、画像読取装置１において実行されるガンマ補正データ生成処理を示すフローチャートである。この処理は、製品出荷時や定期的にサービスマンの操作により行われる。なお、動作説明の前提として、フローチャートに記述されている各処理を実現するためのプログラムは、画像読取装置１のＣＰＵ１９が読み取り可能なプログラムの形態でＲＯＭに格納されており、ＣＰＵ１９は、当該プログラムに従った動作を逐次実行する。
【００４３】
まず、ＣＣＤセンサ２により、図５に示すようなテストチャート３０が読み取られる（ステップＳ１）。そして、シェーディング補正部１３から出力される画像データに各ＬＵＴによる補正が行われないようにセレクタ２２が選択され、テストチャート３０を読み取ることにより得られた画像データが画像メモリ１６に格納される。
【００４４】
次に、画像メモリ１６に格納されたガンマ補正前データに基づいて、各受光素子に対して、テストチャート３０の各濃度に対する出力値の関係を示す出力特性データが生成される（ステップＳ２）。そして、生成された出力特性データに基づいて、各受光素子に対するガンマ補正データが生成される（ステップＳ３）。
【００４５】
次に、この各受光素子に対するガンマ補正データにおいて、類似した特性を有するもの同士が複数のグループに分類される（ステップＳ４）。分類されるグループ数は、予め決められているＬＵＴの数を超えないこととする。ＬＵＴの数は、予め所定数（例えば１００個等）の受光素子の出力特性データを収集し、バラツキを分析し、グループ分けすることによって決めておけばよい。
【００４６】
次に、同じグループに分類されたガンマ補正データの中から代表的な値を１つ選択するか、あるいは、平均的な値をとる等して、グループ毎にＬＵＴが生成され、各ＬＵＴ（ＬＵＴ１、ＬＵＴ２、ＬＵＴ３、・・・、ＬＵＴｎ）へ補正データが書き込まれる（ステップＳ５）。また、各受光素子に対応するＬＵＴを示す情報がＬＵＴポインタ２３へ書き込まれる（ステップＳ６）。例えば、図４に示すように、ＬＵＴポインタ２３には、各ＬＵＴに対応するＬＵＴ番号等が書き込まれる。
以上で、ガンマ補正データ生成処理が終了する。
【００４７】
画像読取装置１によって画像が読み取られる際には、上述したガンマ補正データ生成処理によって生成された各ＬＵＴ及びＬＵＴポインタ２３のデータを用いてガンマ補正が行われ、画像データが出力される。
【００４８】
画像読取装置１によれば、複数の受光素子の各出力データのそれぞれに、類似する特性毎に分類してグループ化されたＬＵＴを、ＬＵＴポインタ２３に基づいて個別的に割り当てるので、受光素子毎の特性差のない画像データを出力することができる。これにより、受光素子自体の特性と、出力チャネル回路の特性との両方について補正を行うことができ、中間調において特性差のない良好な画像を出力することができる。
【００４９】
また、複数のＬＵＴは、予め決められている数を超えないように生成されるので、各受光素子に対して１対１に対応したＬＵＴを用いる場合と比較して、補正メモリの容量を抑えることができ、コストを抑えることができる。
【００５０】
また、複数の濃度パターンで表されるテストチャート３０を読み取ることにより得られた画像データに基づいて、ＬＵＴ及びＬＵＴポインタ２３のデータを生成するので、複数の濃度に対して精度良く補正を行うことができる。
【００５１】
また、ＬＵＴ及びＬＵＴポインタを格納する補正メモリ２０がＭＲＡＭ又はＦｅＲＡＭ等の不揮発性メモリで構成されているので、高速に処理することができる。また、電源を切ったときにも補正メモリ２０のデータが保存され、起動時に補正メモリ２０へデータのロードを行う必要がない。ただし、補正メモリ２０が揮発性の場合には、フラッシュメモリ等に補正データを書き込んでおいて、起動時に補正メモリ２０にデータをロードすればよい。
【００５２】
なお、上記実施の形態における記述は、本発明に係る好適な画像読取装置１の例であり、これに限定されるものではない。画像読取装置１を構成する各部の細部構成及び細部動作に関しても本発明の趣旨を逸脱することのない範囲で適宜変更可能である。
【００５３】
例えば、本実施の形態においては、ガンマ補正データ生成処理に用いるテストチャートとして、主走査方向に対しては濃度一定で、副走査方向に対しては濃度がリニアに変化している画像を用いたが、複数の濃度パターンで表されているものであれば、濃度の順序を問わない。
【００５４】
また、本発明は、カラーセンサや二次元のエリアイメージセンサでも応用可能である。
【図面の簡単な説明】
【００５５】
【図１】本発明の実施の形態における画像読取装置１の概略構成図である。
【図２】画像読取装置１のブロック図である。
【図３】受光素子の出力特性を示す図である。
【図４】本発明の実施の形態におけるガンマ補正を説明するための図である。
【図５】テストチャート３０の模式図である。
【図６】画像読取装置１において実行されるガンマ補正データ生成処理を示すフローチャートである。
【図７】従来の２出力型ＣＣＤセンサ４０の模式図である。
【図８】２出力型処理回路のブロック図である。
【図９】従来の４出力型ＣＣＤセンサ５０の模式図である。
【図１０】４出力型処理回路のブロック図である。
【図１１】偶数画素と奇数画素に対して異なるＬＵＴを用いたガンマ補正を示す図である。
【図１２】主走査前半分の画像データと主走査後半分の画像データに対して異なるＬＵＴを用いたガンマ補正を示す図である。
【図１３】各画素に１対１に対応したＬＵＴを用いたガンマ補正を示す図である。
【符号の説明】
【００５６】
１  画像読取装置
２  一次元ＣＣＤイメージセンサ
３  レンズ
４  ランプ
５  原稿
１１  アナログ信号処理部
１２  ＡＤ変換部
１３  シェーディング補正部
１４  ラインメモリ
１５  ガンマ補正部
１６  画像メモリ
１７  タイミング制御部
１８  クロック発生部
１９  ＣＰＵ
２０  補正メモリ
２１，２２  セレクタ
２３  ＬＵＴポインタ
３０  テストチャート
４０  ２出力型ＣＣＤセンサ
５０  ４出力型ＣＣＤセンサ
【図１】
2005184633.tif 000003
【図２】
2005184633.tif 000004
【図３】
2005184633.tif 000005
【図４】
2005184633.tif 000006
【図５】
2005184633.tif 000007
【図６】
2005184633.tif 000008
【図７】
2005184633.tif 000009
【図８】
2005184633.tif 000010
【図９】
2005184633.tif 000011
【図１０】
2005184633.tif 000012
【図１１】
2005184633.tif 000013
【図１２】
2005184633.tif 000014
【図１３】
2005184633.tif 000015